(57)【特許請求の範囲】
【請求項１】
熱エネルギーの作用により、可視情報の記録及び消去の両方が可能な可逆性感熱記録媒体に、前記可視情報の記録及び消去の両方が可能な可逆性感熱記録媒体の記録消去装置において、
レーザ光照射部からレーザ光を照射するレーザ光照射手段と、
前記レーザ光照射部から照射されたレーザ光を、前記可逆性感熱記録媒体の第１の方向に、１つのミラーを回転駆動することによって走査する走査手段と、
前記レーザ光照射部と前記可逆性感熱記録媒体とを、前記第１の方向と直交する第２の方向に相対的に移動する移動手段と、を備え、
前記ミラーは、
長辺に平行な回転軸をもつ帯状であって、
その回転軸方向のサイズが、少なくとも前記可逆性感熱記録媒体の記録領域の長手方向のサイズであること、
を特徴とする可逆性感熱記録媒体の記録消去装置。
【請求項２】
請求項１に記載の可逆性感熱記録媒体の記録消去装置において、
前記ミラーは、前記回転軸と直交する方向のサイズが、前記ミラーの回転範囲内で前記レーザ光を受けることができる最小幅であること、
を特徴とする可逆性感熱記録媒体の記録消去装置。
【発明の詳細な説明】
【０００１】
【発明の属する技術分野】
本発明は、熱エネルギーの作用により、可視情報の記録・消去が可能な可逆性感熱記録媒体に、その可視情報の記録・消去を行う可逆性感熱記録媒体の記録消去装置に関するものである。
【０００２】
【従来の技術】
図６は、可逆性感熱記録媒体の一般的構成を説明する図である。この可逆性感熱記録媒体６０は、リライトカードと称して、一部実施されており、例えば、図６（Ａ）に示すように、カード基材６１上に、可逆性感熱記録層６２が設けられており、必要に応じて、ＩＣモジュール６３が搭載されたり、エンボス文字６４が形成されたりしている。
【０００３】
この可逆性感熱記録層６２は、樹脂母材と、この樹脂母材中に分散された有機低分子物質とを主成分とする感熱記録材料（例えば、特許第２７００２３４号等）を有しており、図６（Ｂ）に示すように、記録及び消去を行っていた。
【０００４】
まず、感熱記録材料は、常温Ｔ０のときＤの状態（消去状態）であるとする。この感熱記録材料は、記録したい部位の温度を、Ｔ１→Ｔ２→Ｔ３に上げると、カーブに沿って、ＤからＣさらにＥへと状態が変化する。Ｅの状態は、これ以上温度を上げても濃度が変化しない状態である。このＥの状態をへて、温度をＴ３からＴ０まで下げることによって、低反射状態、すなわち、Ａの状態（記録状態）となる。
【０００５】
いま、感熱記録材料は、常温Ｔ０のときに、Ａの状態（記録状態）であるとする。そして、この感熱記録材料は、所望部位の温度を、Ｔ１→Ｔ２に上げると、カーブに沿って、ＢからＣへと状態が変化し、 最大反射濃度に達する。ここで、温度をＴ０に下げると、反射濃度は、そのまま保持されＤの状態（消去状態）となる。
【０００６】
従って、可逆性感熱記録層６２は、上記のような感熱記録材料の表面に、熱を選択的に印加することにより、所望の部位を加熱して、透明地に白濁の可視情報を形成したり、白濁地に透明の可視情報を形成することができ、その変化は、何回も繰り返することが可能である。また、このような感熱記録材料の背面に着色層を形成すれば、白地に着色層の色の可視情報又は着色層の色の地に、白色の可視情報を形成することができる。
【０００７】
従来、可視情報の記録手段は、電流によって発熱する微小な発熱体を直線状に配置したサーマルヘッドを使用し、感熱記録媒体上を接触しながら走査し、任意の箇所の発熱体を加熱・冷却することによって、微小点による文字等を形成していた。
【０００８】
【発明が解決しようとする課題】
しかし、前述した従来のサーマルヘッドは、感熱記録媒体上を接触しながら走査するので、磨耗によって、耐久性が低下すると共に、汚れなどに対してメンテナンスが必要である等の問題があった。
【０００９】
この問題を解決するために、集光されたレーザービームを走査して描画を行うことが考えられる。この場合に、光ビームを反射鏡にあて、反射鏡を振ることにより、光ビームを走査するのが一般的である。光ビームの走査手段としては、例えば、ガルバノメータスキャナーやポリゴンミラー等がよく用いられている。
【００１０】
図７は、ガルバノメータスキャナーを使用した走査機構の一例を示す図である。この走査機構１００は、互いに直交する軸回りに配置されたモータ１０４，１０５と、モータ１０４，１０５で回転駆動される反射鏡１０２，１０３と、反射鏡１０２，１０３で反射されたレーザビームを所定径に収束する焦点距離補正光学系１０７等とを備えている。
【００１１】
レーザ光１２０は、モータ１０４，１０５によって回転駆動される反射鏡１０２，１０３で反射され、ｆθレンズなどを用いた焦点距離補正光学系１０７によって、所定径のレーザビーム１１０に収束されたうえで、照射対象物１１５に照射される。
【００１２】
しかし、この走査機構１００は、反射鏡１０２，１０３によるビーム走査方式を採用しており、ビームの振り角によって、反射鏡１０２，１０３の反射点から結像させるべき位置までの距離が変わるので、フォーカスエラーＥＲが生じる。従って、この振り角によるフォーカスエラーＥＲを補正するために、高価な焦点距離補正光学系１０７が余分に必要であった。
【００１３】
また、焦点距離補正光学系１０７を用いて、フォーカスエラーＥＲを補正した場合であっても、照射対象物１１５へ照射されるレーザビーム１１０のエネルギーの利用効率が悪い、という問題があった。
なお、レーザプリンタ等は、セレンなどの感度のよい感光ドラムに描画するので、エネルギーの利用効率は、あまり問題としていない。しかし、この可逆性感熱記録媒体は、感度をよくすると、高温の環境下（夏場に自動車内に置き忘れた場合など）で、可視情報が消去されてしまう恐れがある。このため、感度を悪くしてあるので、エネルギーの利用効率の向上が望まれる。
【００１４】
本発明の目的は、前述した課題を解決し、可逆性感熱記録媒体へ非接触で可視情報を記録・消去できると共に、エネルギーの利用効率がよく、しかも、簡単な構造で小型・軽量かつ安価に製造することができる可逆性感熱記録媒体の記録消去装置を提供することである。
【００１５】
【課題を解決するための手段】
前記課題を解決するために、請求項１の発明は、熱エネルギーの作用により、可視情報の記録及び消去の両方が可能な可逆性感熱記録媒体に、前記可視情報の記録及び消去の両方が可能な可逆性感熱記録媒体の記録消去装置において、レーザ光照射部からレーザ光を照射するレーザ光照射手段と、前記レーザ光照射部から照射されたレーザ光を、前記可逆性感熱記録媒体の第１の方向に、１つのミラーを回転駆動することによって走査する走査手段と、前記レーザ光照射部と前記可逆性感熱記録媒体とを、前記第１の方向と直交する第２の方向に相対的に移動する移動手段と、を備え、前記ミラーは、長辺に平行な回転軸をもつ帯状であって、その回転軸方向のサイズが、少なくとも前記可逆性感熱記録媒体の記録領域の長手方向のサイズであること、を特徴とする可逆性感熱記録媒体の記録消去装置である。
【００１７】
請求項２の発明は、請求項１に記載の可逆性感熱記録媒体の記録消去装置において、前記ミラーは、前記回転軸と直交する方向のサイズが、前記ミラーの回転範囲内で前記レーザ光を受けることができる最小幅であること、を特徴とする可逆性感熱記録媒体の記録消去装置である。
【００２０】
【発明の実施の形態】
以下、図面等を参照して、本発明の実施の形態について、さらに詳しく説明する。
（第１実施形態）
図１は、本発明による可逆性感熱記録媒体の記録消去装置の第１実施形態を示すブロック図である。
図２〜図４は、本実施形態に係る可逆性感熱記録媒体の記録消去装置の構造を示す正面図、平面図及び側面図である。
【００２１】
この実施形態の記録消去装置５０は、熱エネルギーの作用により、可視情報の記録・消去が可能なリライトカード（可逆性感熱記録媒体）６０に、可視情報の記録・消去を行う装置であって、レーザ光照射装置１０と、走査装置２０と、移動装置３０と、搬送装置４０等とを備えている。
【００２２】
レーザ光照射装置１０は、レーザ光を照射する装置であり、レーザダイオード（ＬＤ）ドライバ１１と、レーザダイオード（ＬＤ）１２と、光ファイバ１３と、レンズヘッド（レーザ光照射部）１４等とを備えている。
ＬＤ１２から出射したレーザ光は、楕円ビームであるが、光ファイバ１３を通過すると、円形ビームに変換され、そのレーザ光がレンズヘッド１４から照射される。
【００２３】
走査装置２０は、レンズヘッド１４から照射されたレーザ光を、リライトカード６０のＹ軸方向（第１の方向）に走査する装置であり、図２〜図４に示すように、Ｙ軸モータ２１と、Ｙ軸モータ２１の出力軸に固定されたスキャニングミラー２２と、レンズヘッド１４からのレーザ光を、折り返してスキャニングミラー２２に導く固定折返ミラー２３（図４参照）等とを備えている。
【００２４】
スキャニングミラー２２は、矩形で細長い帯状のミラーであり、その回転軸方向のサイズａが、リライトカード６０（図５参照）の可逆性感熱記録層６２の有効記録領域の長手方向のサイズａ0 と同じサイズにしてある。このサイズにすれば、リライトカード６０に対して、回転軸方向には、レンズヘッド１４を移動するだけでよく、スキャニングミラー２２の移動が不要となるからである。
【００２５】
一方、回転軸と直交する方向のサイズｂが、レーザ光を受けることができる最小幅としてある。このサイズにすれば、小型かつ軽量となり、小さなＹ軸モータ２１で駆動できるからである。
また、可逆性感熱記録層６２の有効記録領域の短手方向のサイズｂ0 は、狭い幅にすれば、スキャニングミラー２２の回転角θが小さくて済むので、従来例のように、焦点距離補正光学系は不要である。
具体的には、可逆性感熱記録層６２の有効記録領域がａ0 ×ｂ0 ＝６０×１２ｍｍであり、スキャニングミラー２２の回転角θ＝±１１度の場合に、スキャニングミラー２２の有効サイズは、ａ×ｂ＝６０×８ｍｍとしてある。
【００２６】
移動装置３０は、レンズヘッド１４をＸ軸方向（第２の方向）に移動する装置であって、図２〜図４に示すように、Ｘ軸モータ３１と、Ｘ軸モータ３１の出力軸に設けられたプーリ３２と、移動端側に設けられたフリーのプーリ３３と、プーリ３２，３３にかけられたＸ軸移動用のタイミングベルト３４と、レンズヘッド１４をタイミングベルト３４に固定する固定具３５等とを備えている。
【００２７】
搬送装置４０は、リライトカード６０をカード挿入口（不図示）から、記録・消去位置に搬送する装置であり、コンベア４１と、コンベア４１を駆動するモータを含む駆動部４２等を備えている。
【００２８】
制御部５１は、描画情報に基づいて、走査装置２０と移動装置３０とを駆動しながら、レンズヘッド１４からレーザ光を選択的に照射する。また、搬送装置４０を駆動して、リライトカード６０をカード挿入口と記録・消去位置との間で搬送する制御等を行なう。
なお、制御部５１には、可視情報を入力するキーボードなどの操作部５２や、その可視情報やその他の情報等を、目視により確認するためのＣＲＴ等の表示部５３も接続されている。
【００２９】
図５は、本実施形態に係る記録消去装置の描画動作を説明する図である。
この記録消去装置５０は、ラスター制御によって、可視情報の描画を行うことができる。この場合に、可逆性感熱記録層６２において、Ｘ軸モータ３１を、Ｘ軸方向に駆動して、レンズヘッド１４を記録領域の１列目に移動させ、Ｙ軸モータ２１を駆動して、スキャニングミラー２２をＹ軸方向にスキャニングし、描画情報に基づく描画すべき位置で、ＬＤ１２をオンする。この位置を、○印で示している。そして、１列目の描画が終わった後に、Ｙ軸モータ３１を駆動して、レンズヘッド１４をＹ軸方向に移動し、次の列の描画を、前述と同様にして行い、所望の文字を描画する。
移動装置３０は、記録領域に複数行の文字列を描く場合であっても、レンズヘッド１４を記録領域の長手方向に１回移動するだけで、記録を行なうことができる。この移動装置３０は、複数回往復させると、バックラッシュなどにより、位置精度が悪くなり、簡単な構造では実現できなくなるからである。
【００３０】
次に、消去動作について説明する。消去に必要なエネルギーは、ＬＤ１２の出力が波長８００ｎｍであって、０．７ｗのものの場合には、記録のときの約７０％である。例えば、直径約１００μｍ程度の光スポットＳ１によって軌跡を描いて、文字を記録したときに、レンズヘッド１４の光学系の焦点を移動して、記録時の光スポットＳ１よりも、広い光スポットＳ２により、同一の軌跡を描いて、その文字を消去することができる。光スポットＳ２は、光スポットＳ１よりもエネルギーが７０％となるような大きさに設定しておけば、出力の制御をする必要がない。また、消去時のスポットＳ２が、記録時の光スポットＳ１よりも広いので、位置ずれを起こしたとしても、確実に消去することができる。
【００３１】
以上説明したように、本実施形態によれば、以下のような効果がある。
（１）  従来の接触式サーマルヘッドによる構造との比較
（ａ）  本実施形態は、リライトカード６０の感熱記録層６２にレーザ光を照射する非接触方式であるので、記録・消去を繰返しても、感熱記録層６２にストレスがかからず、記録・消去の耐久性が桁違いに向上する。
【００３２】
（ｂ）  本実施形態は、手油によるリライトカード６０の汚れ、リライトカード６０の平滑性不良（エンボスによって生じるカールなど）があっても、印字不良が生じないので、メンテナンスが非常に楽である。
これに対して、サーマルヘッド方式は、カード面に手油があったり、感熱記録層６２の記録面とサーマルヘッドとの密着性が悪いと、印字品質が著しく低下してしまう。
【００３３】
（ｃ）  サーマルヘッド方式では、感熱記録層６２の記録面の手油や塵がサーマルヘッドに付着するので、メンテナンスが必要だったり、塵などにより、ヘッド面に傷が付くなどの問題があり、ヘッド本来の寿命前に交換することが多かったが、本実施形態のレーザー方式は、上記のようなことがなく、メンテナンスが楽である。
【００３４】
（ｄ）  本実施形態は、非接触であるので、リライトカード６０にエンボス６４の領域があっても、対応が可能である。
（ｅ）  本実施形態は、リライトカード６０の端部まで印字が可能である。サーマルヘッド方式では、サーマルヘッドを上下動させて、感熱記録層６２の記録面にサーマルヘッドをセットするので、カード端部は、デッドスペースとなり、記録することができない。
【００３５】
（２）  本実施形態は、矩形で細長い帯状のスキャニングミラー２２をただ一枚用いて、記録面の短手方向（Ｙ軸方向）にスキャンさせるので、フォーカス誤差も少なく、補正の必要がない。つまり、ｆθレンズが不要であるので、構造が簡単となり、小型・軽量でかつ安価に製造することができる。
【００３６】
（３）  本実施形態は、光ファイバ１３のレンズヘッド１４を、スキャニングミラー２２の長手方向（Ｘ軸）に沿って、一定方向へ順次移動させるだけであるので、絶対的な位置精度は要求されない。従って、ベルトドライブ程度の簡単な移動装置３０で足りるので、構造が簡単となり、小型・軽量でかつ安価に製造することができる。
【００３７】
（第２実施形態）
図８は、可逆性感熱記録媒体の記録消去装置の第２実施形態を示す平面図であり、図８（Ａ）は平面図、図８（Ｂ）は側面図、図８（Ｃ）はシリンドリカルレンズの外観斜視図である。
なお、以下に示す各実施形態では、前述した第１実施形態と同様の機能を果たす部分には、同一の符号を付して、重複する説明を適宜省略する。
レーザ光照射装置１０は、シリンドリカルレンズ１５ａと、コリメータレンズ１５ｂとを備える。シリンドリカルレンズ１５ａは、円柱レンズとも呼ばれる円柱面を持つレンズであり（図８（Ｃ））、楕円ビームを円形ビームに変換する。コリメータレンズ１５ｂは、通過する光を、発散することなく直進可能な平行光線にするレンズである。
また、レンズヘッド１４は、ミラー１４ｂを備える。ＬＤ１２から出射されたレーザ光は、このミラー１４ｂで反射して、集光レンズ１４ａより出射する。レンズヘッド１４は、移動装置３０のタイミングベルト３４に固定されている。レンズヘッド１４は、タイミングベルト３４によって、Ｘ軸ガイド３６に沿って、Ｘ方向に移動させられる。
【００３８】
ＬＤ１２から出射したレーザ光は、楕円ビームであるが、シリンドリカルレンズ１５ａを通過すると円形ビームになり、コリメータレンズ１５ｂを通過して平行光になって発散することなく直進する。そして、ミラー１４ｂに反射し、集光レンズ１４ａを通過してスキャニングミラー２２に反射して、リライトカード６０の面上に集光する。なお、スキャニングミラー２２は、Ｙ軸モータ２１によって回転させられ、レーザ光をＹ方向に走査する。
【００３９】
本実施形態は、光ファイバを使用しないので、広範囲の記録・消去が可能であり、例えば、カード全面に行うこともできる。すなわち、光ファイバを使用する場合は、光ファイバの移動スペースが必要となる。また、移動にともなう光ファイバの撓み量も大きくなり、耐久性が落ちる。このようなことから、移動量が制限される。しかし、本実施形態は、光ファイバを使用しないので、そのような制限がなく、Ｘ方向の移動量の自由度が広く、広範囲の記録・消去が可能である。
また、光ファイバを使用しないので、コスト的にも、安価である。
【００４０】
（第３実施形態）
図９は、可逆性感熱記録媒体の記録消去装置の第３実施形態を示す図である。
本実施形態では、ＬＤ１２から照射されたレーザ光を楕円から円形の平行光に変換するために、コリメータレンズ１５ｂと、プリズムペア１５ｃ，１５ｄとを備える。プリズムペア１５ｃ，１５ｄは、アナモルフィック系を形成する１組のプリズムであり、通過した楕円ビームを円形ビームに整形する。
【００４１】
ＬＤ１２から出射したレーザ光は、コリメータレンズ１５ｂによって、平行光に変換され、プリズムペア１５ｃ，１５ｄを通過すると、楕円ビームから円形ビームに変換される。
このようにして変換された平行光の円形ビームは、上述の実施形態と同様に、レンズヘッド１４のミラー１４ｂで反射されて、集光レンズ１４ａ、スキャニングミラー２２を介して、リライトカード６０の面上に集光される。
【００４２】
本実施形態によっても、広範囲の記録・消去が可能である。
【００４３】
（第４実施形態）
図１０は、可逆性感熱記録媒体の記録消去装置の第４実施形態を示す図である。
本実施形態では、ＬＤ１２から出射したレーザ光を、楕円から円形の平行光に変換するために、楕円レーザ光の短軸長よりも小形のコリメータレンズ１５ｂを備える。
ＬＤ１２から出射した楕円のレーザ光のうち、コリメータレンズ１５ｂを通過した光は、円形の平行光線となる。
このようにして変換された平行光の円形ビームは、上述の実施形態と同様に、レンズヘッド１４のミラー１４ｂで反射されて、集光レンズ１４ａ、スキャニングミラー２２を介して、リライトカード６０の面上に集光される。
【００４４】
本実施形態は、必要となる部品点数が少なく、構造を単純化させることができる。
【００４５】
（第５実施形態）
図１１は、可逆性感熱記録媒体の記録消去装置の第５実施形態を示す図である。
本実施形態では、円形の平行レーザ光を得るために、面発光レーザアレイ１２−１と、マイクロレンズアレイ１５−１とを備える。
面発光レーザアレイ１２−１は、光の共振する方向が基板面に対して垂直方向のレーザアレイである。マイクロレンズアレイ１５−１は、φ数十μｍ〜１ｍｍ程度のマイクロレンズを平面状に整然と配列した結合素子である。
【００４６】
面発光レーザアレイ１２−１から出射したレーザ光が、マイクロレンズアレイ１５−１を通過すると、平行光線に変換される。このようにして変換された平行光線は、上述の実施形態と同様に、レンズヘッド１４のミラー１４ｂで反射されて、集光レンズ１４ａ、スキャニングミラー２２を介して、リライトカード６０の面上に集光される。
【００４７】
本実施形態は、面発光レーザアレイを使用するので、パワーを持った光束を利用して、一時に広範囲の記録・消去が可能であり、記録・消去の高速化を図ることが可能である。
【００４８】
（第６実施形態）
図１２は、可逆性感熱記録媒体の記録消去装置の第６実施形態を示す平面図である。
本実施形態では、レンズヘッド１４にＬＤ１２及びシリンドリカルレンズ１５ａを内蔵している。ＬＤ１２は、レーザ光を出射するダイオードであり、その大きさは、１ｍｍ角以下と小形である。
ＬＤ１２から出射された楕円状のレーザ光は、シリンドリカルレンズ１５ａで円形に変換され、集光レンズ１４ａを通過して、スキャニングミラー２２で反射して、リライトカード６０の面上に集光する。
【００４９】
本実施形態は、ＬＤ１２がレンズヘッド１４に内蔵されているので、部品レイアウトの自由度が広がる。すなわち、例えば、第２実施形態のように、ＬＤ１２〜レンズヘッド１４の距離がある場合は、その間の空間の確保が問題となるが、本実施形態は、ＬＤ１２がレンズヘッド１４に内蔵されているので、そのような空間の確保について、特に気遣う必要がなく、設計上の自由度が広がる。
【００５０】
（第７実施形態）
図１３は、可逆性感熱記録媒体の記録消去装置の第７実施形態を示す図であり、図１３（Ａ）は平面図、図１３（Ｂ）は側面図である。
レンズヘッド１４は、固定具３５でタイミングベルト３４に固定されている。この固定具３５は、Ｘ軸ガイド３６に取り付けられており、Ｘ方向に往復移動可能である。また、固定具３５には、集光レンズ１４ａが取り付けられている。さらに、固定具３５には、Ｙ軸モータ２１が取り付けられており、その出力軸上にスキャニングミラー２２が取り付けられている。レンズヘッド１４がタイミングベルト３４によって、Ｘ方向に移動させられると、スキャニングミラー２２も一緒に移動し、両者は、常に、一定の位置関係を保つ。したがって、レンズヘッド１４から照射されたレーザ光は、常に、スキャニングミラー２２の同一部分で反射する。このため、スキャニングミラー２２は小形でよく、軽量である。
レンズヘッド１４から出射したレーザ光は、スキャニングミラー２２で反射して、リライトカード６０の面上に集光する。スキャニングミラー２２の回転によって、レーザ光がＹ方向に移動し、集光位置が調整される。
【００５１】
本実施形態によれば、スキャニングミラー２２は、レンズヘッド１４とともに、移動するので、小型化を図ることができる。また、スキャニングミラー２２を小型化することで、第６実施形態と比較しても、さらに、設計上の自由度を広げることができる。
【００５２】
（第８実施形態）
図１４は、可逆性感熱記録媒体の記録消去装置の第８実施形態を示す図であり、図１４（Ａ）は平面図、図１４（Ｂ）は側面図である。
本実施形態では、移動装置３０は、リニアモータによって、レンズヘッド１４をＸ方向に移動させる。
レンズヘッド１４は、固定部３５に固定されている。固定部３５には、コイル３５ａが巻かれており、その両側には、磁石３５ｂが配置されている。固定部３５は、Ｘ軸ガイド３６に沿って移動する。
【００５３】
本実施形態は、リニアモータによって、レンズヘッド１４をＸ方向に移動させるので、レンズヘッド１４を高速で移動させることができる。
【００５４】
（第９実施形態）
図１５は、可逆性感熱記録媒体の記録消去装置の第９実施形態を示す図である。
本実施形態では、移動装置３０は、送りネジによって、レンズヘッド１４をＸ方向に移動させる。
レンズヘッド１４は、固定部３５に固定されている。固定部３５には、雌ネジが形成されている。その雌ネジには、Ｘ軸モータ３１の出力軸３１ａに形成された雄ネジが螺合されている。
Ｘ軸モータ３１が回転すると、固定部３５は、Ｘ軸ガイド３６に沿って往復移動する。
【００５５】
本実施形態は、送りネジによって、レンズヘッド１４をＸ方向に移動させるので、精密な位置制御を行うことができる。
【００５６】
（第１０実施形態）
図１６は、可逆性感熱記録媒体の記録消去装置の第１０実施形態を示す図であり、図１６（Ａ）は平面図、図１６（Ｂ）は側面図である。
本実施形態では、レンズヘッド１４は、停止（固定）されており、リライトカード６０が、搬送装置４０によって、Ｘ方向に移動させられる。
すなわち、搬送装置４０の４組のローラ４３で、リライトカード６０を上下から挟んで、Ｘ方向に移動させる。
スキャニングミラー２２は、Ｙ軸モータ２１によって回転させられ、レーザ光をＹ方向に走査する。
【００５７】
本実施形態は、搬送装置４０によって移動させながら、リライトカード６０に可視情報を記録・消去するので、構造を簡素化させることができ、安価である。
【００５８】
（変形形態）
以上説明した実施形態に限定されることなく、種々の変形や変更が可能であって、それらも本発明の均等の範囲内である。
【００５９】
（１）  図５の場合には、記録領域の幅方向に１文字描いた例で説明したが、幅方向に複数行の文字列があってもよい。
（２）  搬送装置は、１方向に移動する例で説明したが、２方向に移動するようにしてもよい。
【００６０】
（３）  カードの例で説明したが、平面形状や厚みの異なるタグのようなものでもよい。
（４）  図１３においては、スキャニングミラー２２を小型化して、移動装置３０によって、走査装置２０全体を移動させるようにしたが、Ｙ軸モータ２１を固定して、その出力軸の断面を矩形にしておき、スキャニングミラー２２を出力軸に対して角孔でスライド可能に嵌合させるようにしてもよい。
【００６１】
（５）  スキャニングミラー２２は、その長辺のサイズを、ＪＩＳやＩＳＯの規格で定められたカードの長辺（８５．６ｍｍ）がカバーできるサイズにしておけば、あらゆるサイズの記録領域をもつカードに対応することができる。
【００６２】
【発明の効果】
以上詳しく説明したように、本発明によれば、安価で簡単な構成により、可逆性感熱記録媒体へ非接触で可視情報の記録・消去を行うことができる。
また、高速かつ高精度で、しかも、エネルギーの利用効率がよい省電力型の装置を、簡単な構造により、小型・軽量でかつ安価に製造することができる。
【図面の簡単な説明】
【図１】本発明による可逆性感熱記録媒体の記録消去装置の第１実施形態を示すブロック図である。
【図２】本実施形態に係る記録消去装置を示す正面図である。
【図３】本実施形態に係る記録消去装置を示す平面図である。
【図４】本実施形態に係る記録消去装置を示す側面図である。
【図５】本実施形態に係る記録消去装置の描画動作を説明する図である。
【図６】可逆性感熱記録媒体の一般的構成を説明する図である。
【図７】ガルバノメータスキャナーを使用した走査機構の一例を示す図である。
【図８】可逆性感熱記録媒体の記録消去装置の第２実施形態を示す平面図である。
【図９】可逆性感熱記録媒体の記録消去装置の第３実施形態を示す図である。
【図１０】可逆性感熱記録媒体の記録消去装置の第４実施形態を示す図である。
【図１１】可逆性感熱記録媒体の記録消去装置の第５実施形態を示す図である。
【図１２】可逆性感熱記録媒体の記録消去装置の第６実施形態を示す平面図である。
【図１３】可逆性感熱記録媒体の記録消去装置の第７実施形態を示す図である。
【図１４】可逆性感熱記録媒体の記録消去装置の第８実施形態を示す図である。
【図１５】可逆性感熱記録媒体の記録消去装置の第９実施形態を示す図である。
【図１６】可逆性感熱記録媒体の記録消去装置の第１０実施形態を示す図である。
【符号の説明】
５０  記録消去装置
１０  レーザ光照射装置
１１  ＬＤドライバ
１２  半導体レーザ（ＬＤ）
１３  光ファイバ
１４  レンズヘッド
１５ａ  シリンドリカルレンズ
１５ｂ  コリメータレンズ
１５ｃ，１５ｄ  プリズムペア
２０  走査装置
２１  Ｙ軸モータ
２２  スキャニングミラー
２３  固定折返ミラー
３０  移動装置
３１  Ｘ軸モータ
３２，３３  プーリ
３４  タイミングベルト
３５  固定具
４０  搬送装置
４１  搬送コンベア
４２  駆動部
５１  制御部
５２  操作部
５３  表示部
６０  リライトカード
６２  可逆性感熱記録層
【図１】
0005040049.tif 000002
【図２】
0005040049.tif 000003
【図３】
0005040049.tif 000004
【図４】
0005040049.tif 000005
【図５】
0005040049.tif 000006
【図６】
0005040049.tif 000007
【図７】
0005040049.tif 000008
【図８】
0005040049.tif 000009
【図９】
0005040049.tif 000010
【図１０】
0005040049.tif 000011
【図１１】
0005040049.tif 000012
【図１２】
0005040049.tif 000013
【図１３】
0005040049.tif 000014
【図１４】
0005040049.tif 000015
【図１５】
0005040049.tif 000016
【図１６】
0005040049.tif 000017